(57)【要約】      （修正有）【課題】ガバナロープが装置から外れることを確実に防止することのできるエレベータのガバナロープ振れ止め装置の提供。【解決手段】ガバナ装置を動作させる引き上げレバー６が連結されたレバー側ガバナロープ４ｂの周囲を覆い、かつ引き上げレバー６が通過可能な開口部を有するダクト１１と、このダクト１１の開口部付近に回動可能に取付けられ、取付け側から反取付け側に向かって開口部を閉塞可能なように延設されるとともに引き上げレバー６の開口部通過時にこの引き上げレバー６に当接するアーム１３ａを円周方向に沿って複数備えた回動体１３とを備え、レバー側ガバナロープ４ｂをダクト１１およびアーム１３ａにより間隙を有することなく囲い、振れ止め装置から外れることを防止する一方、引き上げレバー６が振れ止め装置を通過することを可能としている。【選択図】図１
2008013302.tif 000002
【特許請求の範囲】
【請求項１】
調速機と張り車の間との間に無端状に張設され、片側の一箇所にガバナ装置を動作させる引き上げレバーが連結されたガバナロープの揺れを防止するエレベータのガバナロープ揺れ止め装置において、
前記引き上げレバーが連結されたレバー側ガバナロープの周囲を覆い、かつ前記引き上げレバーが通過可能な開口部を有するダクトと、このダクトの開口部付近に回動可能に取付けられ、取付け側から反取付け側に向かって開口部を閉塞可能なように延設されるとともに前記引き上げレバーの開口部通過時にこの引き上げレバーに当接するアームを円周方向に沿って複数備えた回動体とを備えたことを特徴とするエレベータのガバナロープ振れ止め装置。
【請求項２】
前記ダクトの前記ガバナロープと対向する面に緩衝材を設けたこと特徴とする請求項１記載のエレベータのガバナロープ振れ止め装置。
【請求項３】
前記引き上げレバーの前記アームと当接する部分に緩衝材を設けたこと特徴とする請求項１記載のエレベータのガバナロープ振れ止め装置。
【発明の詳細な説明】
【技術分野】
【０００１】
本発明は、エレベータのガバナロープの振れを防止するエレベータのガバナロープ振れ止め装置に関するものである。
【背景技術】
【０００２】
図３は従来のエレベータのガバナロープ振れ止め装置の正面図、図４は従来のガバナロープ振れ止め装置の平面図である。
【０００３】
従来のガバナロープ振れ止め装置は図３および図４に示すように、昇降体を上下方向に案内するガイドレール２１に上下方向に所定間隔をおいて複数取付けられる支持部材２３と、反レバー側ガバナロープ２４ａの振れを防止する反レバー側ガバナロープ振れ止め部材２５と、ガバナ装置を動作させる引き上げレバー２６が取付けられるレバー側ガバナロープ２４ｂの左右を挟むように対となって配置されるレバー側ガバナロープ振れ止め部材２７とを備えている。また、レバー側ガバナロープ振れ止め部材２７は、レバー側ガバナロープ４ｂを案内する弾性体のロープ案内板２８と、ロープ案内板２８の先端に取り付けられ、互いに向き合うことにより引き上げレバーの幅寸法より若干大きく、かつレバー側ガバナロープの幅寸法より小さな間隙を形成するガバナロープ飛び出し阻止片２９とを有している。
【０００４】
このような従来のガバナロープ振れ止め装置にあっては、ガバナロープ２４の三方向の振れを防止するとともに、レバー側ガバナロープ２４ｂについては、ガバナロープ飛び出し阻止片２９が向き合うことにより、引き上げレバー２６を通過可能とする一方、レバー側ガバナロープ２４ｂが図４中上方向に抜け出すことを防止するようになっている。また、ガバナロープ飛び出し阻止片を形状変更可能なゴム等で形成するとともに、通常は左右のガバナロープ飛び出し阻止片を互いに密着状態とし、引き上げレバー２６が通過するとき、これを強制的に押し開いて通過させる構造としたものも提案されている（例えば、特許文献１参照）。
【特許文献１】特開平４−２６０５８７号公報（段落番号００１５〜００２０、第１図、第２図）
【発明の開示】
【発明が解決しようとする課題】
【０００５】
前述した従来のガバナロープ振れ止め装置にあっては、ガバナロープ飛び出し阻止片２９が互いに向き合うことにより形成される間隙は、引き上げレバー２６の幅寸法より若干大きく、かつガバナロープ２４の幅寸法より小さな値に設定されている。しかしながら、一般的にガバナロープ２４は直径６〜１０ｍｍ程度のものが用いられており、引き上げレバー２６の幅寸法と大きく差異があるわけではない。このためガバナロープ飛び出し阻止片２９が互いに向き合うことにより形成される間隙を、ガバナロープ２４が抜け出すことを確実に防止する値まで狭めることができず、地震または強風などにより建物に揺れが発生し、ガバナロープ２４が大きく揺られた場合、ガバナロープ２４がガバナロープ飛び出し阻止片２９間から抜け出し、昇降路内機器に引っ掛かったり、ガバナ装置を誤作動させたりする恐れがあった。また、ガバナロープ飛び出し阻止片として形状変更可能なゴム等を使用したものにあっても、例えば高層ビルにあって長尺のガバナロープ２４が揺れると、ガバナロープ２４の振れ量が大きくなるとともに作用する力も大きくなることから、ガバナロープ２４がガバナロープ飛び出し阻止片に当たった際に、ガバナロープ飛び出し阻止片の形状を変形させ、ガバナロープ飛び出し阻止片間から抜け出す恐れがあった。
【０００６】
本発明は、前述した従来技術における実状からなされたもので、その目的は、ガバナロープが装置から外れることを確実に防止することのできるエレベータのガバナロープ振れ止め装置を提供することにある。
【課題を解決するための手段】
【０００７】
前記目的を達成するために、本発明は、調速機と張り車の間との間に無端状に張設され、片側の一箇所にガバナ装置を動作させる引き上げレバーが連結されたガバナロープの揺れを防止するエレベータのガバナロープ揺れ止め装置において、前記引き上げレバーが連結されたレバー側ガバナロープの周囲を覆い、かつ前記引き上げレバーが通過可能な開口部を有するダクトと、このダクトの開口部付近に回動可能に取付けられ、取付け側から反取付け側に向かって開口部を閉塞可能なように延設されるとともに前記引き上げレバーの開口部通過時にこの引き上げレバーに当接するアームを円周方向に沿って複数備えた回動体とを備えことを特徴としている。
【０００８】
このように構成した本発明では、引き上げレバーが連結されたレバー側ガバナロープは、ダクトおよび回動体に備えられダクトの開口部を塞ぐように延びるアームにより周囲が囲われ、レバー側ガバナロープの揺れおよび開口部からの抜け出しが防止される。一方、引き上げレバーが振れ止め装置を通過する場合、引き上げレバーは回動体のアームに当接しこれを回動させ、１つのアームとこれと隣接する他のアームとの間のスペースに位置しつつ上昇あるいは下降することにより、ダクトの開口部を移動する。このように、レバー側ガバナロープをダクトおよびアームにより間隙を有することなく囲うことが可能となり、したがって、ガバナロープが振れ止め装置から外れることを確実に防止することができる。
【発明の効果】
【０００９】
本発明によれば、ガバナロープが振れ止め装置から外れることを確実に防止することにより、昇降路内機器への引っ掛かりやガバナ装置の誤作動を防ぎ、エレベータの安全性の向上を図ることができる。
【発明を実施するための最良の形態】
【００１０】
以下、本発明に係るエレベータのガバナロープ振れ止め装置の実施の形態を図に基づいて説明する。
【００１１】
図１は本発明に係るエレベータのガバナロープ振れ止め装置の一実施形態を示す正面図、図２はガバナロープ振れ止め装置の平面図である。
【００１２】
本実施形態のガバナロープ振れ止め装置は図１および図２に示すように、昇降体を上下方向に案内するガイドレール１に支持部材固定金具２により上下方向に所定間隔をおいて複数取付けられる支持部材３と、この支持部材３に取付けられ、反レバー側ガバナロープ４ａの振れを防止する略U字状の反レバー側ガバナロープ振れ止め部材５と、支持部材３に取付けられ、ガバナ装置を動作させる引き上げレバー６が取付けられるレバー側ガバナロープ４ｂの振れを防止するレバー側ガバナロープ振れ止め部材１０とを有している。なお、前述の引き上げレバー６は、ガバナロープ４の端部を互いに連結して無端状とする連結部材７に取付けられている。
【００１３】
また、レバー側ガバナロープ振れ止め部材１０は、引き上げレバー６が連結されたレバー側ガバナロープ４ｂの周囲を覆い、かつ引き上げレバー６が通過可能な開口部１１ａを有するダクト１１と、このダクト１１の開口部１１ａ付近に支持軸１２を介して回動可能に取付けられ、取付け側から反取付け側に向かって開口部１１ａを閉塞可能なように延設されるとともに引き上げレバー６の開口部１１ａ通過時にこの引き上げレバー６に当接するアーム１３ａを円周方向に沿って複数備えた回動体１３とを備えている。
【００１４】
さらに、前述の回動体１３は、いずれの角度にあっても１つ以上のアーム１３ａが開口部１１ａを回動体１３の取付け側から反取付け側に向かって横切ることにより閉塞する形状となっている。また、前述のダクト１１には、レバー側ガバナロープ４ｂと対向する面に緩衝材１４が設けられるとともに、前述の引き上げレバー６には、アーム１３ａと当接する部分に緩衝材１５が設けられている。
【００１５】
本実施形態にあっては、引き上げレバー６が連結されたレバー側ガバナロープ４ｂは、ダクト１１および回動体１３に備えられダクト１１の開口部１１ａを塞ぐように延びるアーム１３ａにより周囲が囲われ、レバー側ガバナロープ４ｂの揺れおよび開口部１１ａからの抜け出しが防止される。一方、引き上げレバー６が振れ止め装置を通過する場合、引き上げレバー６は回動体１３のアーム１３ａに当接しこれを回動させ、１つのアーム１３ａとこれと隣接する他のアーム１３ａとの間のスペースに位置しつつ上昇あるいは下降することにより、ダクト１１の開口部１１ａを移動する。
【００１６】
本実施形態によれば、レバー側ガバナロープ４ｂをダクト１１およびアーム１３ａにより間隙を有することなく囲うことにより、レバー側ガバナロープ４ｂが振れ止め装置から外れることを確実に防止し、これによって、昇降路内機器への引っ掛かりやガバナ装置の誤作動を防ぎ、エレベータの安全性の向上を図ることができる。また、ダクト１１のレバー側ガバナロープ４ｂと対向する面に緩衝材１４を設けることにより、レバー側ガバナロープ４ｂの損傷を防止することができる。さらに、引き上げレバー６のアーム１３ａと当接する部分に緩衝材１５を設けることにより、引き上げレバー６がアーム１３ａに当接する際の衝撃を緩和し、低音化を図るとともに機器の損傷を防ぐことができる。
【図面の簡単な説明】
【００１７】
【図１】本発明に係るエレベータのガバナロープ振れ止め装置の一実施形態を示す正面図である。
【図２】ガバナロープ振れ止め装置の平面図である。
【図３】従来のエレベータのガバナロープ振れ止め装置の正面図である。
【図４】従来のガバナロープ振れ止め装置の平面図である。
【符号の説明】
【００１８】
１      ガイドレール
２      支持部材固定金具
３      支持部材
４ａ    反レバー側ガバナロープ
４ｂ    レバー側ガバナロープ
５      反レバー側ガバナロープ振れ止め部材
６      引き上げレバー
１０    レバー側ガバナロープ振れ止め部材
１１    ダクト
１１ａ  開口部
１２    支持軸
１３    回動体
１３ａ  アーム
【図１】
2008013302.tif 000003
【図２】
2008013302.tif 000004
【図３】
2008013302.tif 000005
【図４】
2008013302.tif 000006